(57)【要約】  一対の電子ディスプレイ（30及び31）は、背合わせで配置され、且つ、車両にマウントされるように構成される。一対の熱プレート（126及び127）は、電子ディスプレイの後に配置され、一対の透過パネル（35及び36）は、電子ディスプレイの後に配置される。閉ループの空気は、電子ディスプレイと透明パネルとの間のスペースを介して、また、閉ループ・プレナムを介して、垂直に移動する。開ループの空気は、熱プレートと電子ディスプレイの背面との間のスペースを介して、水平に移動する。
2019512721.tif 000002
【特許請求の範囲】
【請求項１】
車両の上にマウントされるディスプレイ・アセンブリであって、
背合わせで配置される第１及び第２の電子ディスプレイと、
各々が前記第１及び第２の電子ディスプレイのうちの一つの前に配置される、第１及び第２の透過パネルと、
前記第１及び第２の電子ディスプレイの間に配置され、且つ、周辺空気を受け取るように構成される、開ループ進路と、
循環ガスを受け取るように構成される閉ループ進路であって、
前記第１及び第２の透過パネル並びに前記第１及び第２の電子ディスプレイによって、それぞれ、規定される第１及び第２のチャネルと、
前記第１及び第２の電子ディスプレイの間に配置され、且つ前記チャネルにガスで連絡されるプレナムと、
を含む前記閉ループ進路と、
車両ルーフに取り付けられるように適合されるハウジングと、
を備え、
前記ハウジング及び前記第１及び第２の透明パネルは、前記第１及び第２の電子ディスプレイ、前記開ループ進路、及び、前記閉ループ進路を実質的に囲む囲みを形成し、
前記閉ループ進路及び前記開ループ進路は、実質的な手法で前記循環ガスと前記周辺空気との混合を防止しながら、前記循環ガスから前記周辺空気に熱エネルギを移動させるように構成される、
ディスプレイ・アセンブリ。
【請求項２】
請求項１に記載のディスプレイ・アセンブリであって、
各々が前記第１及び第２の電子ディスプレイのうちの一つの背面の後に配置される、第１及び第２の熱プレートを
更に備えるディスプレイ・アセンブリ。
【請求項３】
請求項２に記載のディスプレイ・アセンブリであって、
前記熱プレートの少なくとも１つの背面に取り付けられる複数の電子コンポーネントを
更に備えるディスプレイ・アセンブリ。
【請求項４】
請求項２に記載のディスプレイ・アセンブリであって、
各々が前記第１及び第２の熱プレート並びに前記第１及び第２の電子ディスプレイの前記背面によって規定される第１及び第２の開ループ・チャネルを
更に備えるディスプレイ・アセンブリ。
【請求項５】
請求項４に記載のディスプレイ・アセンブリであって、
前記開ループ進路は、前記第１及び第２の開ループ・チャネルを含む、
ディスプレイ・アセンブリ。
【請求項６】
請求項５に記載のディスプレイ・アセンブリであって、
前記開ループ進路は、前記周辺空気が前記前記第１及び第２の開ループ・チャネルを通って水平に移動するように、構成される、
ディスプレイ・アセンブリ。
【請求項７】
請求項１に記載のディスプレイ・アセンブリであって、
前記閉ループ進路は、閉ループ空気が前記第１及び第２のチャネル及び前記プレナムを通って垂直に移動するように、構成される、
ディスプレイ・アセンブリ。
【請求項８】
請求項１に記載のディスプレイ・アセンブリであって、
前記開ループ進路は、
周辺空気を取り込むために前記ハウジング内に配置される吸入開口と、
周辺空気を取り出すために前記ハウジング内に配置される排出開口と、
を更に含む、
ディスプレイ・アセンブリ。
【請求項９】
請求項８に記載のディスプレイ・アセンブリであって、
前記開ループ進路は、
前記吸入開口並びに前記第１及び第２の開ループ・チャネルにガスで連絡される、複数の入口開口と、
前記第１及び第２の開ループ・チャネル並びに前記排出開口にガスで連絡される、複数の出口開口と、
を更に含む、
ディスプレイ・アセンブリ。
【請求項１０】
請求項５に記載のディスプレイ・アセンブリであって、
前記閉ループ進路は、第１及び第２の流れを含み、
前記第１及び第２の流れは、それぞれ、前記第１及び第２の電子ディスプレイを垂直に囲む、
ディスプレイ・アセンブリ。
【請求項１１】
請求項１０に記載のディスプレイ・アセンブリであって、
前記第１及び第２の開ループ・チャネルは、前記第１及び第２の流れの中間を通過する、
ディスプレイ・アセンブリ。
【請求項１２】
請求項１に記載のディスプレイ・アセンブリであって、
前記開ループ進路内に配置され、且つ、前記開ループ進路を介して周辺空気を進ませるように構成される、少なくとも１つの開ループ・ファンを
更に備えるディスプレイ・アセンブリ。
【請求項１３】
請求項１に記載のディスプレイ・アセンブリであって、
前記閉ループ進路内に配置され、且つ、前記閉ループ進路を介して循環ガスを進ませるように構成される、少なくとも１つの閉ループ・ファンを
更に備えるディスプレイ・アセンブリ。
【請求項１４】
車両の上にマウントされるディスプレイ・アセンブリであって、
背合わせで配置され、且つ、前面及び背面を有する、一対の電子ディスプレイと、
各々が前記電子ディスプレイのうちの一つの前記前面の前に配置される一対の透明パネルと、
各々が前記透明パネルうちの一つと前記電子ディスプレイのうちの一つとの間に配置される一対の閉ループ・チャネルと、
前記電子ディスプレイのうちの一つの前記背面の後に配置される一対の熱プレートと、
前記熱プレートのうちの一つと前記ディスプレイのうちの一つとの間に配置される一対の開ループ・チャネルであって、そこを水平に通る周辺空気を許可するように構成される前記一対の開ループ・チャネルと、
前記一対の熱プレートによって規定される閉ループ・プレナムであって、前記一対の閉ループ・チャネルにガスで連絡される前記閉ループ・プレナムと、
を備え、
前記閉ループ・チャネル及び前記閉ループ・プレナムは、そこを垂直に通る循環ガスを許可するように構成される、
ディスプレイ・アセンブリ。
【請求項１５】
請求項１４に記載のディスプレイ・アセンブリであって、
前記熱プレートのうちの少なくとも１つの背面にマウントされる複数の電子コンポーネントを
更に備えるディスプレイ・アセンブリ。
【請求項１６】
請求項１４に記載のディスプレイ・アセンブリであって、
間をあけて配置され、且つ、前記閉ループ・プレナム及び前記閉ループ・チャネルを通って循環ガスが進むように構成される、一対の閉ループ・ファンを
更に備えるディスプレイ・アセンブリ。
【請求項１７】
請求項１４に記載のディスプレイ・アセンブリであって、
前記開ループ・チャネルを通って周辺空気が進むように配置される開ループ・ファンを
更に備えるディスプレイ・アセンブリ。
【請求項１８】
請求項１４に記載のディスプレイ・アセンブリであって、
前記車両のルーフの上にマウントされるように適合されたハウジングを
更に備えるディスプレイ・アセンブリ。
【請求項１９】
車両の上にマウントされるディスプレイ・アセンブリであって、
背合わせに配置され一対の電子ディスプレイであって、前記電子ディスプレイ間のスペースがギャップを規定する、前記一対の電子ディスプレイと、
前記電子ディスプレイを囲むように構成され、且つ、前記車両のルーフにマウントされる、ハウジングと、
前記電子ディスプレイの各々を囲み、且つ、前記ギャップを通って移動する、閉ループ進路と、
前記ギャップを通って移動する一対の開ループ進路と、
を備え、
前記開ループ進路と前記閉ループ進路とが交差しない、
ディスプレイ・アセンブリ。
【請求項２０】
請求項１９に記載のディスプレイ・アセンブリであって、
前記電子ディスプレイの間に配置され、且つ、前記閉ループ進路から前記開ループ進路を隔てる、一対の熱プレートを
更に備えるディスプレイ・アセンブリ。
【発明の詳細な説明】
【技術分野】
【０００１】
（関連出願の相互参照）
[0001] 本発明は、2016年3月4日付けで出願された米国仮特許出願第62/303,806の優先権を主張し、その参照によってその全体を本明細書に組み込むものとする。
【０００２】
（技術分野）
[0002] 本発明の実施形態は、概して、電子ディスプレイ用の冷却システムに関連する。
【背景技術】
【０００３】
（背景）
[0003] 電子ディスプレイは、時には、アウトドア環境、又は、周囲温度が高い他のエリア若しくは太陽光負荷等のディスプレイ内温度を上昇させる他の熱源がある他のエリアに使用される。しかしながら、そのディスプレイの幾つかの部分は、冷却するのが難しい。それは、その部分に周辺空気を単に吸入するだけでは、早期の故障に繋がりかねないディスプレイの敏感な部分にちりを導入しその部分を汚染してしまうからである。
【発明の概要】
【課題を解決するための手段】
【０００４】
（発明的な概念の概要）
[0004] 例示的な実施形態は、電子ディスプレイ・ハウジングを通過する例えば空気等の流体の多様な流路を備えている。少なくとも１つの流路は、閉ループであり、他の幾つかの流路は、開ループを提供することができる。閉ループの流路は、好ましくは、密閉された電子機器区画を通って循環するとともに、電子ディスプレイとフロント透明パネルとの間を通過する。周辺空気からなる第１開ループは、第１電子ディスプレイの背後を通過する一方、周辺空気からなる第２流路は、第２ディスプレイの背後を通過することができる。幾つかの実施形態において、開ループの空気はまた、電子コンポーネントを有する熱プレートからの熱を取り去ることができ、幾つかの実施形態において、開ループの空気はまた、ＬＥＤバックライト（ＬＥＤディスプレイ）からの熱を取り去ることができる。
【図面の簡単な説明】
【０００５】
（図面の簡単な説明）
[0005] 上述の特徴に加えて、本発明の他の態様は、後続の、図面及び例示的な実施例の記述から明らかになるであろう。なお、図面において、いくつかの図に共通する同様の参照符号は、同一の又は均等の特徴を表している。
【図１】[0006] 図１は、両側面ディスプレイ・アセンブリの例示的な実施形態の正面斜視図であり、切断線A-A、B-B及びC-Cも示している。
【図２】[0007] 図２は、切断線A-Aに沿って得られる図１の実施形態の側断面図である。
【図３】[0008] 図３は、切断線B-Bに沿って得られる図１の実施形態の正面断面図である。
【図４】[0009] 図４は、切断線C-Cに沿って得られる図１の実施形態の頂面断面図であり、Detail（細部）Aの位置も示している。
【図５】[0010] 図５はDetail Aの詳細斜視図である。
【図６】[0011] 図６は、図１の実施形態の一部の分解図である。
【発明を実施するための形態】
【０００６】
（例示的な実施形態の詳細な説明）
[0012] 本発明は、本発明の例示的な実施形態が示されている添付の図面を参照することによって、より完全に理解することができる。しかしながら、本発明は、本明細書に記載された例示的な実施形態に限定されるものではない。むしろ、例示的な実施形態の提供により、本開示は、全くの完全なものとなり、また、当該技術分野の当業者は、発明の範囲を完全に理解することができる。但し、図面においては、層及び領域の大きさ、相対的な大きさは、明確化のために誇張されている場合がある。
【０００７】
[0013] 本明細書での用語は、特定の実施形態のみを説明するために使用され、本発明を限定する意図はない。また、明細書において使用されている、単数形は、明らかにその文脈から異なることが明示されていない限り、複数形をも含む意図を持っている。また、用語「備える」及び／又は「備えている」は、本明細書における使用において、記載された特徴、整数、ステップ、動作、構成及び／又は要素の存在を明示していることを理解することができるが、１又は複数の他の特徴、整数、ステップ、動作、構成、構成要素、及び／又はそれらの群の存在を排除するものではない。
【０００８】
[0014] 本発明の実施形態は、本発明の理想的な実施形態（及び中間構造）が図示された概要である図面を参酌しながら、以下に説明する。従って、結果として図示された形状における変更、例えば、製造上の技法及び／又は許容誤差などは、予期されている。従って、本発明の実施形態は、本出願で図示された領域の特定の形状に限定されることを意図しておらず、例えば製造からの結果物の形状には偏差を含むものである。
【０００９】
[0015] 他に定義しない限り、本明細書で使用される用語（技術用語及び科学用語を含む）は、本発明が属する技術分野の当業者によって通常理解される意味を持つ。例えば一般的に用いられる辞書で定義された用語は、関連技術の文脈における意味と一致する意味を持つように理解されるべきであり、特に本明細書で定義されない限り理想的な意味又は過度に正式な意味で解釈されるものではない。
【００１０】
[0016] 図１は、両側面ディスプレイ・アセンブリの例示的な実施形態の正面斜視図であり、切断線A-A、B-B及びC-Cも示している。一般的に、例示的な実施形態は、背合わせでハウジング25内に配置される２つのディスプレイ30及び31を備えている。吸入開口50は、周辺空気60の流れをハウジング25内に入れてハウジング25を通過させることを許容する。周辺空気60は、好ましくは、排出開口55を通ってハウジング25から排出される。循環ガス70の閉ループは、同様にハウジング25内を移動するが、好ましくは、実質的な手法で周辺空気60と混合されることはない。
【００１１】
[0017] 本明細書において、周辺空気60の用語は、単に、アセンブリを取り囲む環境を提供する普通の大気からなる空気を意味する。この周辺空気60は、異なる型のガス要素の混合と、ちり、ほこり、花粉、水蒸気、その他の微粒子と、を含むことが知られている。また、本明細書において、循環ガス70は、異なる型のガスの混合であってもよく、或いは、純粋なガス物質であってもよく、従って、任意のガス物質ということを意味することができる。好ましくは、循環ガス70は、実質的な量のちり、ほこり、花粉、水蒸気、又は、その他の型の微粒子を含まない。
【００１２】
[0018] 本発明の例示的な実施形態は、車両に、好ましくはそのルーフに、マウントされるように構成される。ハウジング25は、車両ルーフの頂上に取り付けられるように構成され、そのサイズが決定される。更に、ハウジング25は、空気力学的抗力を最小限に抑えるように適合され、そのサイズが決定されてもよい。ハウジング25は、ハウジング25を車両にマウントするための一対の脚部26を備えることができる。脚部26は、車両ルーフに固定されるか、又は車両の上若しくは車両の内に配置される内部支持部に固定されるように構成され、そのサイズが決定される。このような実施形態において、ハウジング25は、好ましくは、薄く、空気力学的抗力を最小限に抑えるように丸い角及び他の特徴構造を有することができる。ハウジング25は、移動中の車両に起因する力に適応する構造上の剛性及び強度を提供するために、様々な補強部材を備えることができる。同様に、ディスプレイ・アセンブリの様々な構成は、移動中の車両に起因する力に適応するのに十分な剛性材料で構成され又はその材料からなる。更に、ハウジングとディスプレイ・アセンブリの様々な構成要素とは、車両に搭載される時の力、振動、その他の厳格性に対抗できるように構成することができる。例えば、限定されるものではないが、脚部26及びディスプレイ・アセンブリの様々な構成要素は、ラバー・パッド、その他の振動衝撃吸収部を備えることができる。
【００１３】
[0019] 図示されるように、切断線A-Aは、アセンブリの中心を水平に下方に配置され、アセンブリを垂直に切断する。切断線B-Bは、垂直に向き、アセンブリを水平に切断する。最後に、切断線C-Cは、水平に向き、アセンブリを同様に水平に切断する。図１における切断線の矢印は、切断図を得るように仮想的な切断方向を示している。
【００１４】
[0020] 図２は、切断線A-Aに沿って得られる図１の実施形態の側断面図である。周辺空気60は、吸入開口50を通過してハウジング25に入り、そこでは、その後に入口プレナム（plenum）内に導かられ、以下に詳細に説明するように、開ループ・チャネルに接続する複数の入口開口200のうちの一つを通過する。周辺空気60は、好ましくは、一又は複数のファン100によって引かれるが、ファン100はまた、周辺空気60を押すように配置することができ、或いは、幾つかのファンは、押す／引くの組み合わせで使用することができる。この特定の実施形態において、ファン100は、出口プレナムの近くに配置され、そこでは、周辺空気60は、複数の出口開口201のうちの一つを通って移動することによって開ループ・チャネルから集められ、出口プレナムから集められ、排出開口55を介してハウジング25から出るように導かれる。
【００１５】
[0021] 以下詳細に説明するように、入口開口200及び出口開口201は、電子ディスプレイ31の背後を走る第１開ループ・チャネルにガスで連絡されている。好ましくは、アセンブリの反対側にもう１組の入口開口及び出口開口が存在し（図示せず）、これらは、電子ディスプレイ30の背後を走る第２開ループ・チャネルに連絡されている。開口200及び201は、好ましくは、電子ディスプレイ30/31の幅の中に、互いに実質的に等距離で分布している。開口200/201は、循環ガス70との実質的な混合なしで、又は、シールされた電子機器区画125への侵入なしで、周辺空気60によるハウジング25及び開ループ・チャネルの通過を可能にする。
【００１６】
[0022] 複数の電子コンポーネント110は、好ましくは、循環ガス70用の閉ループの一部を形成する密閉された電子機器区画125内に配置される。電子コンポーネント110は、以下の一又は複数を備えることができる：電源モジュール、ビデオ・プレーヤ、電子データ・ストレージ、マイクロプロセッサ、衛生／無線／受信機／送信機、及び、タイミング制御ボード。電子コンポーネント110の少なくとも幾つかは、ディスプレイ30及び31と電気的に接続することができる。
【００１７】
[0023] 一又は複数のファン90は、閉ループの循環ガス70を電子コンポーネント110上に強制することができる。２つのファン90で示されているが、これが必須ではない。加えて、図示されるように電子コンポーネント110上の循環ガス70を押し込む一方、これに限定されないが、ファン90が循環ガス70を引くように配置することもでき、或いは、幾つかのファン90が循環ガス70を押す／引くの組み合わせで使用することができる。
【００１８】
[0024] 図３は、切断線B-Bに沿って得られる図１の実施形態の正面断面図である。ここでは、閉ループの循環ガス70が明確に示されている。上述したように、循環ガス70は、好ましくは、シールされた電子機器区画125内の電子コンポーネント110の上を移動し、その後、ディスプレイ30及び31の各々を包むように分割される。第１ディスプレイ30に関して、透明パネル35は、好ましくは、循環ガス70を受け入れるためにディスプレイ30と透明パネル35との間の閉ループ・チャネルを規定するように、ディスプレイ30の前に配置される。循環ガス70が一旦ディスプレイ30を横切って超えて移動すると、再び閉ループを開始するために、シールされた電子機器区画125へと戻される。
【００１９】
[0025] 同様に、第２ディスプレイ31に関して、透過パネル36は、好ましくは、循環ガス70を受け入れるためにディスプレイ31と透過パネル36との間の閉ループ・チャネルを規定するように、ディスプレイ31の前に配置される。循環ガス70が一旦ディスプレイ31を横切って超えて移動すると、再び閉ループを開始するために、シールされた電子機器区画125へと戻される。
【００２０】
[0026] 図示されるように、周辺空気60の流れは、好ましくは、少なくとも２つのチャネルに分割されて、各ディスプレイの背後を１つの開ループ・チャネルが移動する。ディスプレイ30に関して、周辺空気60の経路は、好ましくは、ディスプレイ30の背面とシールされた電子機器区画125の熱壁126との間を移動する。限定されないが、ディスプレイ30としてダイレクトＬＥＤバックライトＬＣＤを使用する場合、周辺空気60は、好ましくは、ＬＥＤバックライト40の背面と熱壁126との間を移動する。上述したように、複数の電子コンポーネント110は、好ましくは、熱壁126及び127の一つ又は両方に、或いはその近くに、取り付けることができる。このように、電子コンポーネント110からの熱は、壁126及び127に移動し（好ましくは、伝導を介するが、同時に対流及び放熱が少し起きてもよい）、周辺空気60の流れによって除去される。
【００２１】
[0027] 同様に、ディスプレイ31に関して、周辺空気60の経路は、好ましくは、ディスプレイ31の背面とシールされた電子機器区画125の熱壁127との間を移動する。限定されないが、ディスプレイ31としてダイレクトＬＥＤバックライトＬＣＤを使用する場合、周辺空気60は、好ましくは、ＬＥＤバックライト41の背面と熱壁127との間を移動する。実施形態としてダイレクトＬＥＤバックライトＬＣＤが図示されているが、この型のディスプレイ及びこれに関連するバックライトは、各実施形態において必須ではないことに、特に留意されたい。ディスプレイ30及び31は、次の中からの任意の一つとすることができる：プラズマ、ＯＬＥＤ、ＬＣＤ（直接照明又はエッジ照明）、ＬＥＤ、及び、任意の型のエレクトロルミネッセンス・ポリマー・ディスプレイ。
【００２２】
[0028] 図４は、切断線C-Cに沿って得られる図１の実施形態の頂面断面図であり、Detail（細部）Aの位置も示している。この図を参照すれば、ディスプレイ30及び31の各々の背後に、周辺空気60用の２つのチャネルが示されている。再び、好ましくは、周辺空気60の２つの経路は、電子ディスプレイ30及び31並びに電子装置110からの熱を（熱壁126及び127を介して）取り除くことができる。
【００２３】
[0029] 図５はDetail Aの詳細斜視図である。周辺空気60が一旦開ループ・チャネルの各々を通過して移動すると、出口プレナムによって集められ、ファン100によってディスプレイ・ハウジング25の外部に押し出されるようになる。
【００２４】
[0030] 図６は、図１の実施形態の一部の分解図である。ここには、アセンブリの片側の構成要素、すなわちディスプレイ31を囲むコンポーネントの積み重ねが示されている。周辺空気60は、好ましくは、入口開口200を通って導入され、熱プレート127と電子ディスプレイ31の背後（この実施形態において、ＬＥＤバックライト41の背面）との間を通過することができる。開ループ・チャネルを一旦通過すると、周辺空気60は、好ましくは、出口開口201の外に導かれ、結果として、出口プレナムに集めてディスプレイ・ハウジングの外に出すことができる。循環ガス70は、概して、周辺空気60を有する開ループ・チャネルを取り囲むことができる。言い換えれば、開ループ周辺空気60は、循環ガス70の閉ループの中心を通過する。
【００２５】
[0031] 上述したように、循環ガス70は、好ましくは、電子コンポーネント110の上を通過し、シールされた電子機器区画125を出て、透明プレート36と電子ディスプレイ31の前との間を移動し、最終的には、シールされた電子機器区画125に戻る。再び、実施形態の半分だけが部分分解図に図示されていることに留意されたい。一般的には、図示し、上述したように、対向するディスプレイ30の周りを移動する第２閉ループ循環ガス70と、ディスプレイ30の後を通る周辺空気60用の第２開ループ・チャネルと、が存在する。
【００２６】
[0032] 図面において様々な開及び閉の冷却ループが水平又は垂直の配置で示されたことに留意すべきであるが、特定の実施形態に依存して、逆にするか変更できることは、明確に意図されている。したがって、閉ループは、水平方向又は垂直方向に、また、時計回り方向又は半時計回り方向に、流れることができる。
【００２７】
[0033] 本発明の好ましい実施形態を示し、説明したが、当業者は、特許請求の範囲に記載された発明の範囲内で、説明した発明に変化をもたらす多くの変形及び修正を理解することができるであろう。加えて、上述の要素の多くは、特許請求の範囲に記載された発明の精神に含まれ、同じ結果を提供することができる異なる要素によって、変更又は置換されることができる。したがって、発明の範囲は、特許請求の範囲の記載のみによって規定されることが意図されている。
【図１】
2019512721.tif 000003
【図２】
2019512721.tif 000004
【図３】
2019512721.tif 000005
【図４】
2019512721.tif 000006
【図５】
2019512721.tif 000007
【図６】
2019512721.tif 000008
【国際調査報告】
2019512721.tif 000009
2019512721.tif 000010
2019512721.tif 000011